(57)【要約】【課題】マスクの内側に装着するだけで鼻孔や口元にマスクが付着することを防止し、かつ周縁が顔面と隙間なく密着することでフィルタ効果を向上させることができる通気性の良いマスク用パッドを安価に提供する。【解決手段】通気性の無い材料からなるパッド本体１の中央付近（顔装着時に口に対向する位置）に通気用のマスク側吸排気部１ａを設ける。パッド本体１は鼻孔と口元を一定の距離を隔てて覆うように立体成形され、呼吸時にも撓むことのない十分な剛性を持たせた構造とする。これにより鼻孔や口元にマスクが付着することを防止する。またパッド本体１の周縁には、通気性を有するフィルタ材（部）からなりマスク着用者の顔面と隙間なく密着する構造の接顔側吸排気部２を設ける。またマスク側吸排気部１の周囲にマスク当接部３を設け、マスク当接部３の先端辺をマスクに当接することで、清浄な空気のみが吸引できるようにする。【選択図】図１
2015012896.tif 000002
【特許請求の範囲】
【請求項１】
マスクの内側に装着して使用されるマスク用パッドにおいて、
鼻孔と口を覆う形状であって通気性のない樹脂材によって立体成形されたパッド本体と、
クッション性と通気性を有するフィルタ材からなり、前記パッド本体の周縁に取り付けられる接顔側吸排気部と、
前記パッド本体の顔装着時の口に対向する位置に設けられる孔からなるマスク側吸排気部と、
を有することを特徴とするマスク用パッド。
【請求項２】
請求項１に記載のマスク用パッドであって、
前記パッド本体の外側面の前記マスク側吸排気部の周囲を囲む位置に設けられて、その先端辺がマスクに当接するマスク当接部を有することを特徴とするマスク用パッド。
【請求項３】
請求項１に記載のマスク用パッドであって、
前記パッド本体には、給気装置に連結される吸気管が取り付けられていることを特徴とするマスク用パッド。
【請求項４】
請求項１に記載のマスク用パッドを取り付けてなることを特徴とするマスク。
【発明の詳細な説明】
【技術分野】
【０００１】
本発明は、ウィルス対策用、花粉対策用および防塵用等の各種マスクの内側に装着することで、これらマスクが有する空気浄化（濾過）作用を高める効果を手軽に実現でき、加えて呼吸や会話のし易い環境をマスク着用者に提供し、さらには外気を吸引しながら、或いは外気を吸引しないで、吸気用ボンベからの酸素や空気の吸引を行うことのできるマスク用パッド、および当該マスク用パッドを装着したマスクに関するものである。
【背景技術】
【０００２】
インフルエンザ予防や花粉症予防に加え、大気汚染の原因物質であるＰＭ２．５等の吸引予防の観点から、外気を浄化（濾過）してきれいな空気の吸引を可能にするマスクが近年注目されるようになり、多種多様な商品が市販されている。これら市販マスクにおいては、その多くが柔らかな不織布からなり、着用の際に鼻孔や口元にマスクが付着することで呼吸や会話が困難になるといった問題（以下「呼吸問題」と称する）や、顔面にマスクが十分に密着せずマスクと顔の間に隙間が生じてしまうことでマスクがもつ空気浄化（濾過）作用が低下するといった問題（以下「隙間問題」と称する）を抱えている。当該市販マスクの使用上の問題を解決する手段として、マスクと顔面の間に通気性とフィルタ効果を兼ね備えたパッドを装着する方法が提案されており、幾つかのマスク用パッドに関する従来技術が存在する。当該従来技術としては、例えば着用者の鼻や口元を覆うように不織布を立体成形したフィルタパッドを装備するマスクに係る先行発明（特許文献１参照）や、鼻と口元を覆うように成形したクッション性のあるフィルタ材を介在させる先行発明（特許文献２参照）がある。
【０００３】
このうち、鼻や口元を覆うように不織布を立体成形したフィルタパッドを装備するマスクに係る先行発明（特許文献１参照）によれば、フィルタパッド自体がある程度の剛性を持つところ、強く吸引しても（パッド内部が負圧になっても）フィルタパッド自体は撓むことはなく、よって鼻孔や口元にマスクが付着することを防止できることから、上記呼吸問題を解決することが可能となる。しかるに当該フィルタパッド周囲の接顔部においては、鼻周辺部分にのみ接触部材が設けられ、その他の部分においては隙間の発生を防止する構造（機構）が備わっておらず、当該フィルタパッドの接顔部形状とマスク着用者の顔面形状が合わない場合には外気と直接通気する隙間が生じることになる。よってこのマスクを着用しても上記隙間問題を十分に解決することはできない。このようにこのマスクにおいては例えパッド自体に高いフィルタ効果のある素材等を用いても構造的に当該フィルタ効果が減殺されるという大きな問題を抱えている。またパッド自体にフィルタ効果のある素材等を用いることでパッド単価が高額になるという問題も抱えている。
【０００４】
一方マスクと顔面との間に、鼻と口元を覆う形状に成形したクッション性のあるフィルタ材を介在させる先行発明（特許文献２参照）によれば、接顔部がクッション性のあるフィルタ材で形成されているところ、マスク着用者の顔面とクッション性を有するフィルタ材とが隙間なく密着することから、上記隙間問題は解決されることになる。しかるに鼻や口元に一定の空間が形成されるようにフィルタ材の周縁部を厚く成形しても、マスク中央部は開口もしくは薄いフィルタ材から構成されているため、当該パッド中央部分においては呼吸時の負圧に耐えるだけの十分な剛性は無く、呼吸時にフィルタ材ごとマスクが鼻孔や口元へ付着することが想定される。したがってこのフィルタパッドを市販のマスクの内側に装着するだけでは上記呼吸問題を十分に解決することはできない。加えてパッド自体にフィルタ効果のある素材等を用いていることからパッド単価が高額になるという問題を抱えている。
【０００５】
また、清浄な酸素を吸引する方法としては、上記空気浄化（濾過）作用のあるマスクを使用して外気を吸引する方法の他に、酸素ボンベから直接酸素を吸引する方法が存在する。当該酸素ボンベから酸素吸引を行う際には、酸素が外部に漏れないように密閉性の高い、いわゆる酸素マスクを使用するのが一般的である。
【０００６】
上記特許文献１，２に示すような空気浄化（濾過）作用のあるマスクではその性質上通気性が重視されるのに対し、酸素マスクにおいては通気性と相反する密閉性が重視されることから、それぞれの用途ごとに個別のマスクが開発され使用されているのが現状である。言い換えれば、通気性が重視される空気浄化作用のあるマスクに酸素を供給して、酸素マスクのように使用する構造のマスクは従来全く考えられていなかった。
【先行技術文献】
【特許文献】
【０００７】
【特許文献１】特開２０１１−１３９８９３号公報
【特許文献２】特開２０１１−２２４０９４号公報
【発明の概要】
【発明が解決しようとする課題】
【０００８】
本発明は上述の点に鑑みてなされたものでありその目的は、マスク着用時に鼻孔や口元にマスクが付着することで呼吸や会話が困難になるといった呼吸問題、およびマスクの周縁が顔面に密着せず隙間が生じることでマスクがもつ空気浄化（濾過）作用が低下するといった隙間問題を、マスクの内側に装着するだけで手軽に解決することができる、低廉な構造のマスク用パッドおよび当該マスクパッドが装着されたマスクを提供することにある。
【０００９】
また本発明の目的は、マスク内に装着するだけで手軽に給気装置からの酸素や空気の吸引を行うことができ、様々な使用環境に柔軟に対応できる全く新しいマスク用パッドならびに当該マスク用パッドを装着したマスクを提供することにある。
【課題を解決するための手段】
【００１０】
本発明は、マスクの内側に装着して使用されるマスク用パッドにおいて、鼻孔と口を覆う形状であって通気性のない樹脂材によって立体成形されたパッド本体と、クッション性と通気性を有するフィルタ材からなり、前記パッド本体の周縁に取り付けられる接顔側吸排気部と、前記パッド本体の顔装着時の口に対向する位置に設けられる孔からなるマスク側吸排気部と、を有することを特徴とするマスク用パッドにある。本発明に係るマスク用パッドを装着したマスク着用者は、前記接顔側吸排気部と前記マスク側吸排気部の２つの吸排気部を介してマスク、もしくはフィルタ材によって浄化（濾過）された外気を吸引し、呼気を排気することになる。従ってこのマスク用パッドを装着して呼吸しても、息苦しさは無く、十分な通気性を確保できる。
【００１１】
したがって前記パッド本体については通気性がなくても良く、軽量でかつ成形が容易な樹脂材を使用することができる。樹脂材を用いることで、適度な柔軟性を有しながら、強く吸引した場合（マスク用パッド内部の気圧が負圧となる場合）でも大きく撓むことのない十分な剛性を兼ね備えた軽量なパッド本体を容易に構成することが可能になる。当該構造を有するパッド本体を使用することで、装着感に優れながら、常に鼻孔や口がマスクやマスク用パッドから離れ、鼻孔や口にマスクやマスク用パッドが付着することを防止することができる。その結果従来のマスクにみられる前記呼吸問題を解決することが可能となる。またパッド本体の素材の選定や生産方法についてはその自由度が大きく広がることから、生産上の制約が大幅に改善される。
【００１２】
また、上記のとおり前記マスク用パッドの接顔側吸排気部はクッション性を有するフィルタ材によって形成されているところ、当該フィルタ材にマスク着用者の顔面の凹凸を吸収できる程度の十分な厚さと柔軟性をもたせることで、マスク着用時の僅かな押し力だけでマスク着用者の顔面形状に合わせてフィルタ材が変形し、顔面とパッドが隙間なく密着することが可能になる。これにより従来のマスクにみられる前記隙間問題を解決することが可能となる。さらに当該フィルタ材に吸湿性をもつ素材を用いることで吸汗効果が期待でき、より装着性に優れたマスク用パッドの提供が可能となる。つまり接顔部にクッション性と通気性さらには吸湿性のあるフィルタ材を用いることで、十分な通気性を確保しながらマスク着用者の顔面と隙間なく密着し、これによりマスクがもつ空気浄化（濾過）作用の向上という効果がもたらされると同時に、優れた装着性が実現される。
【００１３】
またパッド本体についてはフィルタ材を用いる必要がないので、使用できる素材の選択範囲が大きく広がり、低廉で軽量、かつ成形性がよいことから適度な柔軟性と剛性を確保すること（両立させること）が容易な素材を用いることで、従来のマスク用パッドに比べ大幅に生産性を向上させることが可能になる。加えて高価なフィルタ材を用いる部分を接顔側吸排気部とマスク当接部といった必要にして十分な箇所に抑えることが可能になることから、製造コストの低廉化が図れる。これにより、従来のマスクが有する呼吸問題および隙間問題を低廉な構造によって解決できる。
【００１４】
またパッド本体を通気性のない素材によって構成しているので、パッド本体に設けられたマスク側吸排気部と接顔側吸排気部を吸排気部として限定でき、このマスク用パッドをマスクに装着した際に、確実にマスクもしくはフィルタ材によって浄化（濾過）された外気が吸引できる。なお前記吸排気部に関しては発明者自身の試作品を用いた実験により、パッド本体に通気性が無い場合、マスク側吸排気部のみでは十分な空気吸引ができないことが実証されており、マスク側吸排気部と接顔側吸排気部を同時に設けることで、十分な通気性が得られることを確認している。
【００１５】
また本発明は、上記マスク用パッドであって、前記パッド本体の外側面の前記マスク側吸排気部の周囲を囲む位置に設けられて、その先端辺がマスクに当接するマスク当接部を有することが好ましい。マスク側吸排気部の周囲に設けたマスク当接部においてもクッション性のあるフィルタ材を用いれば、マスク側吸排気部をマスクとフィルタ材で覆うことが可能となり、より通気性を向上させることができる。なおマスク当接部は必ずしもフィルタ材で構成する必要は無く、通気性の無い材料で構成しても良い。
【００１６】
また本発明は、前記パッド本体に、給気装置に連結される吸気管を取り付けることが好ましい。
定常時においては上記マスク用パッドの使用のみで浄化された空気（酸素）の十分な吸引が可能であるが、特に空気の汚染度が高いような場合や、より多くの酸素や空気の吸引が必要な場合等も想定されることから、給気装置と連結する吸気管を設けることで、清浄化された外気の吸引と併せて、又は外気を吸引しないで、給気装置からの酸素や空気の吸引を行うことを可能にしている。給気装置としては、吸気用ボンベ（酸素ボンベ、空気ボンベ等）や、フィルタ等のろ過装置を通して空気をファン又はポンプによって圧送する給気システム等がある。吸気用ボンベからの吸引が可能となれば火災時の煙から身を守る防煙マスクや、病院内での空気感染によるウィルス感染を効果的に防ぐマスクや、空気汚染（粉塵やスモッグ等）の激しい場所で使用するマスクとしても有用になる。また給気装置からの酸素や空気の流量を増やすことによりマスク用パッド内部の気圧を外気より常に高圧にして、室内外の外気を吸引することなく、給気装置からの酸素や空気のみを吸引することも可能である。これによって上記防煙マスクやウィルス感染防止用マスクや防塵マスクとしての効用は更に高まる。
給気装置からの吸引を効率的に行う為にはマスク用パッド自体にある程度の密閉性が必要となるが、本発明に係るマスク用パッドでは、前述の通り、吸排気部を限定しパッド本体を通気性のないものにしたので、ある程度の密閉性を有するマスク用パッドとすることができ、これによりマスクの内側に装着するだけで給気装置からの酸素や空気の吸引を効率的に行うことが可能となり、様々な使用環境に柔軟に適応のできるマスク用パッドを提供できる。
【００１７】
また本発明は、上記各発明に係るマスク用パッドを取り付けてなるマスクにある。
【発明の効果】
【００１８】
本発明によれば、マスクの内側に装着するだけで、マスク着用時に鼻孔や口元にマスクが付着することで呼吸や会話が困難になるといった呼吸問題と、マスクの周縁が顔面に密着せず隙間が生じることでマスクがもつ空気浄化（濾過）作用が低下するといった隙間問題とを、何れも解決することができる。また本発明に係るマスク用パッドは構造が簡単で、低廉に製造できる。
また本発明によれば、マスク内に装着するだけで手軽に給気装置からの酸素や空気の吸引を行うことができ、様々な使用環境に柔軟に対応できる。
【図面の簡単な説明】
【００１９】
【図１】マスク用パッドの斜視図である。
【図２】マスク用パッドの正面図である。
【図３】マスク用パッドの側面図である。
【図４】マスク用パッドの背面図である。
【図５】マスク用パッドの断面図（図４のＡ−Ａ断面図）である。
【図６】他のマスク用パッドの斜視図である。
【図７】他のマスク用パッドの背面図である。
【図８】他のマスク用パッドの断面図（図７のＢ−Ｂ断面図）である。
【図９】図１に示すマスク用パッドを装着したマスクの正面図である。
【図１０】図１に示すマスク用パッドを装着したマスクの背面図である。
【図１１】図１に示すマスク用パッド及びマスクの装着図である。
【図１２】図６に示すマスク用パッド及びマスクの装着図である。
【発明を実施するための形態】
【００２０】
以下、本発明の実施形態を図面を参照して詳細に説明する。
図１は本発明の第１実施形態にかかるマスク用パッドの斜視図であり、図２はその正面図、図３はその側面図、図４はその背面図、図５はその断面図、図１１はその装着図である。図１に示すように、このマスク用パッドは、パッド本体１と、接顔側吸排気部２と、マスク当接部３とを具備して構成される。
【００２１】
パッド本体１については、例えばポリスチレン等の軽量かつ安価で、成形により適度な柔軟性と剛性を確保すること（両立させること）が容易な素材からなる。パッド本体１は空気を通さない板材で構成されている。その形状はマスク当接部３を頂点とする略円錐形状であって、装着者の鼻と口元を覆いかつ鼻や口との間に一定の空間が確保されるように立体成形されている。マスク当接部３については、このマスク用パッドを装着した際にマスク着用者の口に対向する位置に設けるのが望ましい。また周縁形状は人の顔面形状に沿うように三次元曲線（面）で形成されていることが望ましい。
【００２２】
パッド本体１のマスク当接部３（略円錐頂点部分近傍）には通気用の空隙からなるマスク側吸排気部１aが設けられている。実施例では複数の小さな略円形状の孔によって構成されているが、略円形状もしくは略矩形状からなる一つの孔やスリット形状等の孔でもよい。当該マスク側吸排気部１aと後述する接顔側吸排気部２を通じてマスク着用者は外気を吸引し、呼気を排気する。
【００２３】
さらに本実施例では鼻に当接する部分の近傍に切込部１ｂを設けることでマスク着用者の鼻高の相違に出来るだけ対応可能な形状としている。これによりマスク着用者の顔面とパッド本体１の密着性を高めている。
【００２４】
接顔側吸排気部２は、例えばポリウレタン等のクッション性があって、かつ通気性ならびに微粒子の透過を防ぐ効果（フィルタ効果）を兼ね備えたフィルタ材からなる。当該フィルタ材が上記パッド本体１の周縁部分へ帯状に接着されることで接顔側吸排気部２は構成される。
【００２５】
接顔側吸排気部２を構成する当該フィルタ材にマスク着用者の顔面の凹凸を吸収できる程度の十分な厚さと柔軟性をもたせることで、パッド本体１の周縁形状が装着者の顔面形状に合わなくても、マスク装着時の軽い押し力のみで顔面との間に隙間なく密着させることが可能となり、さらにはフィルタ効果もあることからマスク単体の使用時よりも優れた空気浄化（濾過）作用が生じる。さらに吸湿性も併せ持つ素材を用いることでパッド装着時に生じる汗を吸収し、クッション性と相まってより装着感の優れたマスク用パッドの提供が可能となる。フィルタ材については単一素材の他、フィルタ効果を高める為に抗菌層や超極細繊維層などを付加した多重層構造をとるものであってもよい。
【００２６】
マスク当接部３は、接顔側吸排気部２と同様に、例えばポリウレタン等のクッション性があって、かつ通気性ならびに微粒子の透過を防ぐ効果（フィルタ効果）を兼ね備えたフィルタ材を、パッド本体１に設けられた通気用のマスク側吸排気部１aを囲むように円環状に接着することで構成されている。これによりマスク着用時の軽い押し力のみでマスクと当該マスク当接部３は隙間なく密着し、パッド本体１に開けられた通気用のマスク側吸排気部１aはマスクとマスク当接部３に隙間なく囲まれることになる。その結果マスク側吸排気部１aから吸引される外気は必ずマスクもしくはマスク当接部３を構成するフィルタ材を通過することになり、確実に空気浄化（濾過）を行うことができる。フィルタ材については単一素材の他、フィルタ効果を高める為に抗菌層や超極細繊維層などを付加した多重層構造をとるものであってもよい。
【００２７】
なおフィルタ材はマスク側吸排気部１aを囲むように円環状に設ける必要はなく、例えばマスク側吸排気部１a全体を覆うように設けてもよい。この場合マスク側吸排気部１aから吸引される外気は必ずマスクとフィルタ材を介することになり、マスク単体よりも高い空気浄化（濾過）作用が生じることになる。またマスク側吸排気部１aを設けた部分及びその周囲のパッド本体１表面に接着層を設けることで、パッド装着時にマスクとマスク側吸排気部１を接着し隙間が生じ得ない構造とした場合には、マスク当接部３を設ける必要はない。
【００２８】
マスクへの装着方法については、例えばマスク当接部３に設けられた接着シート（接着層）１ｃによってこれを行う。当該接着シート１ｃの接着面をマスク内側に張り付けてパッドを装着する。なおマスク当接部３を省略して、その代りにマスク側吸排気部１aを設けた部分及びその周囲の表面に接着層を形成し、当該部分でマスクとパッド本体１を接着することで、マスクに装着する方法でもよい。またパッド本体１の外側面腹部近傍（マスク当接部３よりも外側部分）に接着シート（接着層）を設け、この部分でマスクと接着する方法でもよい。この場合はマスク当接部３の先端面はマスクの内側面に圧接されることになる。なお、本発明に係るマスク用パッドのパッド本体１については耐久性のある素材を用いることが可能であるところ、複数回の使用を想定する場合には着脱自在な装着方法が必要とされる。その方法として例えば本発明に係るマスク用パッドにマスクもしくはマスク着用者の鼻背部に着脱自在に引っ掛ける係止部を設け、当該係止部によってパッドをマスク上部もしくはマスク着用者の鼻背部に引っ掛けて装着する方法などが考えられる。
【００２９】
当該実施例に示した構造を有する本発明品に係るマスク用パッドを、マスクと顔面の間に装着することで、マスク着用者の鼻や口元がマスクに接触することを防止でき、マスクに邪魔されずに呼吸や会話を容易に行うことが可能となる。またマスク用パッドの周縁がマスク着用者の顔面と隙間なく密着することで、空気浄化（濾過）作用を向上させることが可能になる。
【００３０】
次に本発明の第２実施形態にかかるマスク用パッドについて説明する。図６はその実施例としてのマスク用パッドの斜視図であり、図７はその背面図、図８は断面図、図１２は装着図である。このマスク用パッドは、パッド本体１と、接顔側吸排気部２と、マスク当接部３と、吸引管４とを具備して構成されている。
【００３１】
パッド本体１については、図１〜図５に係るパッド本体１と形状は基本的に同じであり、これに吸引管４を係止（固定）する係止部１ｄが設けられている。なお素材については吸気用ボンベ１０からの酸素や空気の吸引を効率的に行う観点から通気性のないものとする。
【００３２】
吸引管４を係止（固定）する係止部１ｄは、例えば接着シートからなり、当該接着シートの接着力によって吸引管４とパッド本体１を係止（固定）する。係止部１ｄの位置については吸引管が十分係止（固定）されるように一定の間隔を隔てて複数個所設けるとよい。なお吸引管４に凸形の突起を設け、これに係合する凹形の窪みを係止部１ｄに設けることで係止（固定）する構造としてもよい。
【００３３】
接顔側吸排気部２については、図１〜図５に係る接顔側吸排気部２と材質および形状は基本的に同じであり、これに吸引管４が貫通する孔２aが下部中央近傍に設けられている。当該貫通孔２aに隙間が生じないようにフィルタ材と吸引管４は相互に接着されている。
【００３４】
なお吸引管４を通す貫通孔をパッド本体１の下部中央近傍に設けてもよい。この場合パッド本体１と吸引管４との間に隙間が生じないようシール部を設けるとよい。
【００３５】
吸引管４は、例えばパッド本体１と同じくポリスチレン等からなり、パッド本体１の内側に設置される本体部４aとパッド本体１の外部にて外付けの吸気用ボンベ１０を取付けるための連結部４ｂから構成される。吸気用ボンベ１０は、例えば圧縮酸素を充填した酸素ボンベでも良いし、圧縮空気を充填した空気ボンベでも良いし、酸素を含む所望の圧縮気体を充填したボンベでもよい。吸引管４の形状は例えば管状であって、本体部４aはパッド本体１内側の下部周縁から左右両側周縁にわたって設置される。また本体部４aの中央下部には、前記貫通孔２aを通ってパッド本体１の外部へ延び、外付けの吸気用ボンベ１０からのホース１１を取付ける連結部４ｂが接続されている。吸引管４の本体部４aには、吸気用ボンベ１０から供給された酸素又は空気をパッド内部に放出するための孔４ｃが複数設けられている。孔４ｃは例えばパッド本体１の内側面側に向けてあけられており、当該孔４ｃから放出された酸素や空気がパッド本体１の内側面に沿ってパッド本体１の中央付近に向かって噴射される向きに形成され、これによって酸素や空気が口元付近に集まるように形成されている。この時マスク側吸排気部１aから酸素や空気が漏れないようにマスク側吸排気部１a近傍に帯状の壁を設けてもよい。また口元へ効率的に酸素や空気を導くためのフィンを設けたり、パッド本体１の内側面に溝を設けてもよい。
【００３６】
吸引管４の連結部４ｂには、当該連結部４ｂが左右前後に可動するように中間部にジャバラ部４dが設けられている。また吸気用ボンベ１０を使用しない場合に外気を遮断するための栓４eが付属する。
【００３７】
なお本実施例においては吸引管４とパッド本体１とを別体として構成しているが、パッド本体１の素材選定の自由度が大きいという本発明の利点を活かして、成形性に優れた素材を用いることで上記吸引管４とパッド本体１を一体的に成形しても良く、またはパッド本体１の全部または一部を二重構造（２部品を組み合わせることで二重構造にする）としてその内部空間を吸気用ボンベとの通気経路とする構造とすることで前記吸引管４の本体部４aに代えても良い。
【００３８】
なおマスクへの装着方法については、図１〜図５に示すマスク用パッドと同様である。
本実施例で示した構成をもつマスク用パッドを例えばマスク内側に装着することで、前記図１〜図５で説明したマスク用パッドに見られる効果が得られるとともに、浄化された外気を吸引しながら、又は外気を吸引しないで、吸気用ボンベから効率的な酸素や空気の吸引が可能になるという効果が得られる。このマスク用パッドは、火災時の煙から身を守る防煙マスクや、病院内での空気感染によるウィルス感染を効果的に防ぐマスクや、空気汚染（粉塵やスモッグ等）の激しい場所で使用するマスクとして有用である。そして吸気用ボンベ１０からの酸素や空気の流量を増やすことによりマスク用パッド内部の気圧を外気より常に高圧にすれば、室内外の外気を全く吸引することなく、吸気用ボンベからの酸素や空気のみを吸引することも可能である。これによって酸素マスクの代替としての使用が可能になり、上記防煙マスクやウィルス感染防止用マスクや防塵マスクとしての効用は更に高まる。
【００３９】
また吸気用ボンベ１０への装着方法については、例えば取付具１２を介してこれを行う。取付具１２にはホース１１の先端と係合する突起部と、市販の吸気用ボンベ１０と着脱自在に係合する部位が設けられている。さらに取付具１２には酸素や空気の流量を調節する弁が内蔵されており、この弁の開閉量を調節するツマミ１３が側面部に設けられている。
【００４０】
上記例では、給気装置として吸気用ボンベ１０を用いた例を示したが、その代りに、配管（ホース）に、フィルタ等のろ過装置と、ファン又はポンプからなる強制給気装置を取り付けることで、外気をろ過装置によって清浄にしながら、強制給気装置によって前記パッド内に清浄な空気を圧送する給気システムを用いても良い。この場合も、給気システムからの空気の流量を増やすことによりマスク用パッド内部の気圧を外気より常に高圧にして、室内外の外気を吸引することなく、給気装置からの空気のみを吸引することも可能である。特に空気の汚染度が高いような場合や、より多くの空気の吸引が必要な場合等は、前記給気ボンベの場合と同様に、有効である。
【００４１】
図９は図１〜図５に係るマスク用パッド（但しマスク当接部３を除いたもの）が装着されたマスクの正面図であり、図１０はその背面図である。このマスクは、マスク本体５と、図１〜図５に示すマスク用パッド（但しマスク当接部３を除いたもの）と、耳かけ部６とを具備して構成される。マスク本体５は、例えば不織布で形成されたフィルタ材からなる。前記図１〜図５に係るマスク用パッドは取付部５aにてマスク本体５に装着されている。取付部５aの位置および取付方法については、例えば前記図１〜図５に係るマスク用パッドに設けられたマスク側吸排気部１aを囲む位置において、接着剤もしくは熱圧着等によって取付ける方法等が考えられる。なおマスク用パッドは、図１〜図５に示すものに代えて、図６〜図８に示すものであっても良い。
【００４２】
耳かけ部６は、マスク本体５の左右両側部に設けられ、例えばマスク５と同素材の不織布からなり、またはゴム等の弾性素材からなる。当該耳かけ部６が引っ張られる状態で耳に掛けられることでマスク５およびマスク用パッドが顔面に押し当てられ、その結果マスク用パッドに設けられた接顔側吸排気部２が変形しマスク着用者の顔面と隙間なく密着することになる。
【００４３】
図９に示すようなマスクを着用することで、前記図１〜図５（又は図６〜図８）に記載のマスク用パッドをより安定的に装着することが可能となり、これにより当該マスク用パッドの効果をより確実に享受できる使用環境を提供することが可能となる。
【００４４】
上記実施例として説明したいずれのマスク用パッド、およびこれを装着したマスクは、本発明の技術的思想を具体化するために例示したにすぎず、各部の形状や寸法、材質、構造などについてはこれら実施形態に限定されず、本発明の特許請求の範囲内において種々の変更を加え得るものである。
【符号の説明】
【００４５】
１：パッド本体                      １ａ：マスク側吸排気部
１ｂ：鼻背部切欠部                  １ｃ：接着シート
１ｄ：吸引管係止部                  ２  ：接顔側吸排気部
２ａ：貫通孔                        ３  ：マスク当接部
４  ：吸引管                        ４ａ：吸引管本体部
４ｂ：吸引管連結部                  ４ｃ：吸引管酸素放出孔
４ｄ：吸引管ジャバラ部              ４ｅ：栓
５  ：マスク本体                    ５ａ：取付部
６  ：耳かけ部                      １０：吸気用ボンベ
１１：ホース                        １２：取付具
１３：ツマミ
【図１】
2015012896.tif 000003
【図２】
2015012896.tif 000004
【図３】
2015012896.tif 000005
【図４】
2015012896.tif 000006
【図５】
2015012896.tif 000007
【図６】
2015012896.tif 000008
【図７】
2015012896.tif 000009
【図８】
2015012896.tif 000010
【図９】
2015012896.tif 000011
【図１０】
2015012896.tif 000012
【図１１】
2015012896.tif 000013
【図１２】
2015012896.tif 000014